(57)【要約】      （修正有）【課題】施工現場でのコーナー部における笠木板金の加工に要する時間を低減し、取付けの際の作業効率が向上する笠木板金構造体を提供する。【解決手段】笠木板金構造体１０は、パラペット９１のコーナー部９２において、第１の笠木板金１１と第２の笠木板金３１とが折曲代２２を介して直角方向に接続される。第１の笠木板金１１と第２の笠木板金３１とは、コーナー部を形成するために、その接続部分において面対称の関係となる。折曲代２２は、第２の笠木板金３１の下面と当接するため、折曲線２１において第１の笠木板金１１側に反転させた部分と面対称となるよう折曲線２１に沿って折り曲げる。取付時には、第１の笠木板金１１を取り付けた後、第２の笠木板金３１を切断線４６が折曲線２１に重なるように取り付ける。このように折曲代２２が単一の平面で構成されるため、折曲代２２の加工が容易となり、作業効率が向上する。【選択図】図１
2018184755.tif 000002
【特許請求の範囲】
【請求項１】
金属板を成型加工することによって形成され、パラペット又はバルコニー壁の上面を覆うように取り付けられる笠木板金構造体であって、
長手方向に帯状に延び、その上平面が短手方向に傾斜する第１の笠木板金と、
前記第１の笠木板金と短手方向の断面が同一に形成され、前記第１の笠木板金に対して平面視において接続部を介して直角方向に接続される第２の笠木板金とを備え、
前記接続部は、
前記第１の笠木板金にあっては、一方端部は平面視においてその一方側縁に対して４５°の角度の折曲線によって所定角度で折り曲げられると共に、折り曲げられた部分は折曲代となり、
前記第２の笠木板金にあっては、一方端部は平面視においてその一方側縁に対して４５°の角度の切断線によって切断され、
前記切断線は前記折曲線に重ねられると共に、前記折曲代の上面は前記第２の笠木板金の下面に当接するように前記所定角度は設定される、笠木板金構造体。
【請求項２】
金属板を成型加工することによって形成され、パラペット又はバルコニー壁の上面を覆うように取り付けられる笠木板金構造体であって、
長手方向に帯状に延び、その上平面が短手方向に傾斜し、一方端部は平面視においてその一方側縁に対して４５°の角度の第１の切断線によって切断される第１の笠木板金と、
前記第１の笠木板金と短手方向の断面が同一に形成され、一方端部は平面視においてその一方側縁に対して４５°の角度の第２の切断線によって切断される第２の笠木板金と、
前記第１の切断線と前記第２の切断線とを突き合わせた状態で前記第１の笠木板金及び前記第２の笠木板金の各々の下面に配置され、前記第１の笠木板金に対して平面視において前記第２の笠木板金を直角方向に接続するための接続体とを備え、
前記接続体は、突き合わされた前記第１の切断線又は前記第２の切断線に対応する直線部分で折り曲げられた平板で構成され、接続状態で、前記直線部分を境界とした一方の折り曲げ部分の上面は、前記第１の笠木板金の下面に、前記直線部分を境界とした他方の折り曲げ部分の上面は、前記第２の笠木板金の下面に、各々当接する、笠木板金構造体。
【請求項３】
前記第１の笠木板金及び前記第２の笠木板金の各々の上平面は、前記パラペット又は前記バルコニー壁に対して外方から内方に向って傾斜する、請求項１又は請求項２記載の笠木板金構造体。
【発明の詳細な説明】
【技術分野】
【０００１】
この発明は笠木板金構造体に関し、特に、金属板を成型加工することによって形成され、パラペット又はバルコニー壁の上面を覆うように取り付けられる笠木板金構造体に関するものである。
【背景技術】
【０００２】
従来から、パラペットやバルコニー壁（以下「パラペット等」と称する）の上面を腐食やひび割れから保護するために、笠木板金が取り付けられている。
【０００３】
又、パラペット等は平面的にコーナー部を有することが多く、コーナー部の形状に合わせて複数の笠木板金を接続した笠木板金構造体を取り付けることも従来から行われている。
【０００４】
図１１は、従来の笠木板金構造体の外観形状を示す概略平面図であり、図１２は、図１１で示したＸＩＩ−ＸＩＩラインの拡大端面図であり、図１３は、図１１で示した笠木板金の端部加工前の外観形状を示す概略斜視図である。
【０００５】
まず、図１１を参照して、笠木板金構造体１１０は、コーナー部において第１の笠木板金１１１と第２笠木板金１３１とを接続することで構成されている。
【０００６】
図１２及び図１３を併せて参照して、第１の笠木板金１１１は、断面視略山型形状であり、パラペット１５１の上面を覆うように取り付けられる。第２の笠木板金１３１も第１の笠木板金１１１と同一の断面構成を有し、第１の笠木板金１１１と同様に、パラペット１５１の上面に取り付けられる。この時、第１の笠木板金１１１の稜線１２３と第２の笠木板金１３１の稜線１４３とは直角方向に交わり合う。
【０００７】
図１４は、図１１で示した笠木板金構造体の基本的な取付手順を示す概略平面図である。
【０００８】
従来の笠木板金構造体の取付手順の概略は、まず、図１３に示す長手方向に帯状に延びる第１の笠木板金１１１と第２の笠木板金１３１との各々の端部を、図１１及び図１４に示すような所望の形状に加工する。この時、第１の笠木板金１１１には、折曲線１２１で所定角度に折り曲げられた折曲代１２２が形成される。これらの具体的な加工工程及び理由については後述する。
【０００９】
次に、第１の笠木板金１１１をパラペット１５１のコーナー部１５２に合わせて取り付ける。更に、第２の笠木板金１３１を、第１の笠木板金１１１と直角方向に接続するように取り付ける。その際、第１の笠木板金１１１に設けられた折曲線１２１と第２の笠木板金１３１の切断線１４６とが重なると共に、折曲代１２２の上面が第２の笠木板金１３１の下面と当接するようにする。そして、第２の笠木板金１３１の切断線１４６の端部に沿ってシーリング剤等を塗布してシールする。このように折曲代１２２を介して接続することで、第１の笠木板金１１１と第２の笠木板金１３１との接続性の向上と、接続部分に生じる隙間からの雨水等の流入の防止することができる。
【発明の概要】
【発明が解決しようとする課題】
【００１０】
上述したように、従来の笠木板金構造体１１０では、コーナー部においてシール性向上のために第１の笠木板金１１１に特定形状の折曲代１２２を設ける必要がある。そのため、次のような問題が生じる。
【００１１】
図１５は、図１３で示した笠木板金の端部の加工工程を示す模式図である。
【００１２】
第１の笠木板金１１１について、図１５の（１）の上段図を参照して、第１の笠木板金１１１の端部１１５ａを、第１の笠木板金１１１の上面１１２の側縁１１４ａに対して左斜め４５°下方に延びるように設定された切断線１２６に沿って切断する。次に、図１５の（２）の上段図を参照して、切断線１２６と平行な直線で上面１１２上に折曲線１２１を設定する。更に、折曲線１２１と側縁１１４ａの交点から、側縁１１４ａに対して直角方向に延びるように設定した第２の切断線１２７に沿って切断する。
【００１３】
又、第２の笠木板金１３１について、図１５の（１）の下段図を参照して、第２の笠木板金１３１の上面１３２の側縁１３４ａに対して左斜４５°下方に延びるよう設定した切断線１４６に沿って切断する。
【００１４】
その後、図示しないが、第１の笠木板金１１１と第２の笠木板金１３１とを各々所望の長さに切断する。
【００１５】
ここで、図１１を再度参照して、第１の笠木板金１１１と第２の笠木板金１３１とがコーナー部を形成するためには、折曲線１２１を通る垂直仮想面において面対称となっている必要がある。これは、第２の笠木板金１３１の下面にぴったり当接する折曲代１２２にもその厚さを無視すると同様に適用される構造である。
【００１６】
図１６は、図１５で示した第１の笠木板金をそのままパラペットに取り付けた状態の概略平面図であり、図１７は、図１６で示した第１の笠木板金の折曲代を加工した後の形状を表す概略平面図である。
【００１７】
図１６を参照して、図１５の切断加工を施しただけでは、第１の笠木板金１１１の折曲代１２２上の稜線１２４は、第１の笠木板金１１１の上面１１２の稜線１２３の延長線上にあり、直角方向に交わり合うものではない。すなわち、折曲代１２２と、折曲線１２１を軸に第１の笠木板金１１１側に折曲代１２２を反転した折曲線対応範囲１４８とは面対称であるとは言えない。
【００１８】
そこで、折曲代１２２の稜線１２４を稜線１２３と直角方向に交わり合うように、折曲代１２２の稜線１２４を平坦化して、稜線１２５として形成し直すと共に、折曲代１２２全体を折曲線１２１の位置で上方に持ち上げる。すると、図１７を参照して、折曲代１２２の稜線１２５で二分される図形１２２ａ及び１２２ｂと、折曲線対応範囲１４８において稜線１２３で二分される図形１４８ａ及び１４８ｂとは、面対称の関係となる。
【００１９】
これにより、第２の笠木板金１３１の下面と折曲代１２２の上面とは全面で当接することが可能になり、図１１のように第１の笠木板金１１１と第２の笠木板金１３１とのコーナー部が形成される。
【００２０】
尚、上述のような笠木板金の端部の切断、折曲げ及び平坦化等の加工は現場合わせとなるため、施工現場で直接行われることが一般的である。
【００２１】
上記のような従来の笠木板金構造体１１０では、理屈上は、第１の笠木板金１１１の折曲代１２２の加工により第１の笠木板金１１１の折曲線１２１と第２の笠木板金１３１の切断線１４６とは重なり合う。しかしながら、上述したように、切断や折曲げ等の加工を施工現場で行うことが多いため、笠木板金の加工を手作業で行う時間を要し、作業効率が悪くなる傾向にあった。
【００２２】
更に、第１の笠木板金１１１の稜線１２３や第２の笠木板金１３１の稜線１４３を境界として、雨水等がパラペットやバルコニー壁に対して内方側だけでなく外方側にも流れるため、外壁に雨染み等が発生しやすく建物等の美観を損なう原因の一つにもなっていた。
【００２３】
この発明は、上記のような課題を解決するためになされたもので、施工現場でのコーナー部における笠木板金の加工に要する時間を低減し、取付けの際の作業効率が向上する笠木板金構造体を提供することを目的とする。
【課題を解決するための手段】
【００２４】
上記の目的を達成するために、請求項１記載の発明は、金属板を成型加工することによって形成され、パラペット又はバルコニー壁の上面を覆うように取り付けられる笠木板金構造体であって、長手方向に帯状に延び、その上平面が短手方向に傾斜する第１の笠木板金と、第１の笠木板金と短手方向の断面が同一に形成され、第１の笠木板金に対して平面視において接続部を介して直角方向に接続される第２の笠木板金とを備え、接続部は、第１の笠木板金にあっては、一方端部は平面視においてその一方側縁に対して４５°の角度の折曲線によって所定角度で折り曲げられると共に、折り曲げられた部分は折曲代となり、第２の笠木板金にあっては、一方端部は平面視においてその一方側縁に対して４５°の角度の切断線によって切断され、切断線は折曲線に重ねられると共に、折曲代の上面は第２の笠木板金の下面に当接するように所定角度は設定されるものである。
【００２５】
このように構成すると、折曲代は単一の平面で構成される。
【００２６】
請求項２記載の発明は、金属板を成型加工することによって形成され、パラペット又はバルコニー壁の上面を覆うように取り付けられる笠木板金構造体であって、長手方向に帯状に延び、その上平面が短手方向に傾斜し、一方端部は平面視においてその一方側縁に対して４５°の角度の第１の切断線によって切断される第１の笠木板金と、第１の笠木板金と短手方向の断面が同一に形成され、一方端部は平面視においてその一方側縁に対して４５°の角度の第２の切断線によって切断される第２の笠木板金と、第１の切断線と第２の切断線とを突き合わせた状態で第１の笠木板金及び第２の笠木板金の各々の下面に配置され、第１の笠木板金に対して平面視において第２の笠木板金を直角方向に接続するための接続体とを備え、接続体は、突き合わされた第１の接断線又は第２の接断線に対応する直線部分で折り曲げられた平板で構成され、接続状態で、直線部分を境界とした一方の折り曲げ部分の上面は、第１の笠木板金の下面に、直線部分を境界とした他方の折り曲げ部分の上面は、第２の笠木板金の下面に、各々当接するものである。
【００２７】
このように構成すると、接続体の折り曲げ部分の各々は単一の平面で構成される。
【００２８】
請求項３記載の発明は、請求項１又は請求項２記載の発明の構成において、第１の笠木板金及び第２の笠木板金の各々の上平面は、パラペット又はバルコニー壁に対して外方から内方に向って傾斜するものである。
【００２９】
このように構成すると、上平面に落下した雨等は外壁側に流れない。
【発明の効果】
【００３０】
以上説明したように、請求項１記載の発明は、折曲代は単一の平面で構成されるため、折曲代の加工が容易となり、作業効率が向上する。
【００３１】
請求項２記載の発明は、接続体の折り曲げ部分の各々は単一の平面で構成されるため、接続体の加工が容易となる。
【００３２】
請求項３記載の発明は、請求項１又は請求項２記載の発明の効果に加えて、上平面に落下した雨等は外壁側に流れないため、外壁側に雨染み等を生じにくくなり、建物等の美観の維持に貢献する。
【図面の簡単な説明】
【００３３】
【図１】この発明の第１の実施の形態による笠木板金構造体の外観形状を示す概略平面図である。
【図２】図１で示したＩＩ−ＩＩラインの拡大端面図である。
【図３】図１で示した笠木板金の端部加工前の外観形状を示す概略斜視図である。
【図４】図１で示した笠木板金構造体の基本的な取付手順を示す概略平面図である。
【図５】図３で示した笠木板金の端部の加工工程を示す模式図である。
【図６】図５に示した第１の笠木板金をそのままパラペット等に取り付けた状態の概略平面図である。
【図７】図５で示した第１の笠木板金の折曲代と対応部分との関係を表す概略平面図である。
【図８】図７で示したＶＩＩＩ−ＶＩＩＩラインの拡大端面図であって、第１の笠木板金と第２の笠木板金との接続部を表す図である。
【図９】この発明の第２の実施の形態による笠木板金構造体を示す図であって、図１に対応するものである。
【図１０】図９で示したＸ−Ｘラインの拡大端面図であって、図７に対応する図である。
【図１１】従来の笠木板金構造体の外観形状を示す概略平面図である。
【図１２】図１１で示したＸＩＩ−ＸＩＩラインの拡大端面図である。
【図１３】図１１で示した笠木板金の端部加工前の外観形状を示す概略斜視図である。
【図１４】図１１で示した笠木板金構造体の基本的な取付手順を示す概略平面図である。
【図１５】図１３で示した笠木板金の端部の加工工程を示す模式図である。
【図１６】図１５で示した第１の笠木板金をそのままパラペットに取り付けた状態の概略平面図である。
【図１７】図１６で示した第１の笠木板金の折曲代を加工した後の形状を表す概略平面図である。
【発明を実施するための形態】
【００３４】
図１は、この発明の第１の実施の形態による笠木板金構造体の外観形状を示す概略平面図であり、図２は、図１で示したＩＩ−ＩＩラインの拡大端面図であり、図３は、図１で示した笠木板金の端部加工前の外観形状を示す概略斜視図である。
【００３５】
図１を参照して、笠木板金構造体１０は、パラペット９１のコーナー部９２において第１の笠木板金１１と第２の笠木板金３１とを接続することで構成されている。
【００３６】
図２及び図３を併せて参照して、第１の笠木板金１１は、金属板を成型加工することによって形成され、長手方向に帯状に延びるものである。具体的には、平面視矩形状の単一面からなる上平面１２と、上平面１２の短手方向に対向する側縁１４ａ及び１４ｂの各々から鉛直方向に伸びる垂下部１６ａ及び１６ｂと、垂下部１６ａ及び１６ｂの各々の下端から第１の笠木板金１１の内方側に向かって斜め上方に立ち上がる立ち上がり部１７ａ及び１７ｂとから構成されている。第１の笠木板金１１の上平面１２は、側縁１４ａから側縁１４ｂに向かって斜め下方にやや傾斜している。
【００３７】
尚、第２の笠木板金３１についても、第１の笠木板金１１と同一の断面構成を有するものである。
【００３８】
図４は、図１で示した笠木板金構造体の基本的な取付手順を示す概略平面図である。
【００３９】
笠木板金の端部及び垂下部の加工については後述する。
【００４０】
取付けに際しては、まず、従来の笠木板金構造体１１０と同様に、第１の笠木板金１１と第２の笠木板金３１との各々の端部を、図１及び図４に示すような特定の形状に加工する。この時、第１の笠木板金１１には、従来の第１の笠木板金１１１と同様、第２の笠木板金３１との接続性とシーリング性の向上のために、折曲線２１で所定角度に折り曲げられた折曲代２２が形成される。又、図示していないが、同様の理由により、第１の笠木板金１１の垂下部の一部はコーナー部壁面の形状に沿って平面視直角方向に折り曲げられる。
【００４１】
次に、図２及び図４を参照して、第１の笠木板金１１をパラペット９１のコーナー部９２に合わせて取り付ける。この際に、側縁１４ａに対して下方に傾斜している側縁１４ｂの側を、パラペット９１に対して内壁側となるようにする。そのように取り付ける理由については後述する。更に、取付けの具体的な手順としては、パラペット９１の上部に、パラペット９１に対して外壁側と内壁側の各々に通気性を向上させるための換気部材９６ａ及び９６ｂを取り付ける。その上に、第１の笠木板金１１を固定するための土台となる笠木受け材９７を取り付けビス９４で固定する。その後、笠木受け材９７の垂下部９８ａの下端に第１の笠木板金１１の垂下部１６ａと立ち上がり部１７ａとの接続部を当てるようにして、立ち上がり部１７ａを係止し、そのまま係止した部分を基点にして、笠木受け材９７の上面９９を覆うように、第１の笠木板金１１を笠木受け材９７の垂下部９８ｂ側に回動させながら、垂下部１６ａが笠木受け材９７の垂下部９８ｂを覆うように被せる。そして、第１の笠木板金１１の立ち上がり部１７ｂを、笠木受け材９７の垂下部９８ｂの下端に係止させる。その後ビス９５で垂下部１６ａと垂下部９８ｂとを固定する。
【００４２】
その後、第２の笠木板金３１を、第１の笠木板金１１に対して、平面視において直角方向に、第１の笠木板金１１と同様の手順を踏まえながら接続する。その際、第１の笠木板金１１の折曲線２１と第２の笠木板金３１の切断線４６とが重なるようにする共に、折曲代２２の上面が第２の笠木板金３１の下面と当接するようにする。又、第１の笠木板金の垂下部１６ａと垂下部１６ｂの直角方向に曲げ加工を施した部分の外側についても、第２の笠木板金の垂下部の内側と当接するように加工する。そして、第２の笠木板金３１の切断線４６の端部に沿ってシーリング剤等を塗布してシールする。
【００４３】
次に、第１の笠木板金１１及び第２の笠木板金３１の端部の具体的な加工方法について説明する。
【００４４】
図５は、図３で示した笠木板金の端部の加工工程を示す模式図である。
【００４５】
まず、加工の前提として、第１の笠木板金１１と第２の笠木板金３１とは、第１の笠木板金１１の折曲線２１を通る垂直仮想面を基準とする面対称に構成する必要がある。
【００４６】
そこで、第１の笠木板金１１について、図５の（１）の上段図を参照して、第１の笠木板金１１の端部１５ａを、第１の笠木板金１１の上平面１２の側縁１４ａに対して左斜め４５°下方に延びるように設定された切断線２６に沿って切断する。次に、図１５の（２）の上段図を参照して、切断線２６と平行な直線で、上平面１２上の切断線２６から任意の距離ずらした位置に折曲線２１を設定する。更に、折曲線２１と側縁１４ａの交点から、側縁１４ａに対して直角方向に延びるように設定した第２の切断線２７に沿って切断する。
【００４７】
この時、図示していないが、第２の切断線２７に沿って切断するのは上平面１２部分のみとし、対応する垂下部は切断せずにコーナー部壁面の形状に合わせて平面視直角方向に折り曲げる。又、側縁１４ｂの折曲代２２にあたる部分は、側縁１４ｂに沿って切込みを入れておく。その後、切込みを入れた部分に対応する垂下部を、コーナー部壁面の形状に合わせて平面視直角方向に折り曲げる。更に、折り曲げた各垂下部にそれぞれ接続する立ち上がり部は切除する。
【００４８】
又、第２の笠木板金３１について、図１５の（１）の下段図を参照して、第２の笠木板金３１の上平面３２の側縁３４ａに対して左斜４５°下方に延びるよう設定した切断線４６に沿って切断する。
【００４９】
その後、図示しないが、第１の笠木板金１１と第２の笠木板金３１とを各々所望の長さに切断する。
【００５０】
ここで、上述のように、従来の笠木板金構造体１１０の第１の笠木板金１１１と折曲代１２２の関係と同様の観点から、図１に記載の第１の笠木板金１１と第２の笠木板金３１とが、コーナー部を形成するためには、折曲線２１を通る垂直仮想面において面対称となっている必要がある。又、第１の笠木板金１１の折曲代２２と第１の笠木板金１１とについても、折曲代２２の厚さを無視すると、折曲線２１を通る垂直仮想面において面対称となっている必要がある。
【００５１】
図６は、図５に示した第１の笠木板金をそのままパラペット等に取り付けた状態の概略平面図であり、図７は、図５で示した第１の笠木板金の折曲代と対応部分との関係を表す概略平面図であり、図８は、図７で示したＶＩＩＩ−ＶＩＩＩラインの拡大端面図であって、第１の笠木板金と第２の笠木板金との接続部を表す図である。
【００５２】
図６を参照して、図５の切断加工を施しただけのものであっても、第１の笠木板金１１の上平面１２と折曲代２２とは完全に同一面となっている。すると、図７を参照して、第１の笠木板金１１に形成された折曲代２２は、折曲線２１を軸に、第１の笠木板金１１側に折曲代２２を反転した折曲線対応範囲４８とそのまま線対称の関係となる。すなわち、従来の笠木板金構造体とは異なり、折曲代に表れる稜線を加工する必要はないこととなる。
【００５３】
しかしながら、図１で示すように、第１の笠木板金１１と第２の笠木板金３１とは折曲線２１を通る垂直仮想面を基準とする面に面対称に接続されるものである。そこで、図８を参照して、第１の笠木板金１１の折曲代２２（仮想線で示す）を、第１の笠木板金の水平面に対する傾斜角θと折曲線２１を軸に同一の角度が表れるよう、折曲線２１に沿って、折曲部２２を折り曲げる。すると、第１の笠木板金１１と面対称である第２の笠木板金３１とは同一の傾斜を有することになるため、第２の笠木板金３１の下面と折曲代２２の上面とは全面で当接することが可能となり、図１のように笠木板金構造体１０のコーナー部が形成される。
【００５４】
上記のように構成することで、折曲代２２は単一の平面で構成されるため、折曲代の折曲加工が一箇所のみで済むと共に、従来の笠木板金構造体では加工に手間がかかっていた稜線の位置移動も不要となるので、折曲代２２の加工が容易となり、作業効率が向上する。
【００５５】
又、笠木板金構造体１０の第１の笠木板金１１の上平面１２及び第２の笠木板金３１の上平面３２が内壁側に向かって下方に傾斜する向きに取り付けることから、上平面１２及び上平面３２に落下した雨等はパラペット９１に対して、外壁側には流れにくくなるため、外壁側に雨染み等を生じにくくなり、建物等の美観の維持に貢献する。
【００５６】
図９は、この発明の第２の実施の形態による笠木板金構造体を示す図であって、図１に対応する図であり、図１０は、図９で示したＸ−Ｘラインの拡大端面図であって、図７に対応する図である。
【００５７】
これらの図を参照して、本実施の形態による笠木板金構造体１０は、第１の実施の形態による笠木板金構造体１０の第１の笠木板金１１の折曲代２２を、別部材として形成された接続体８０に置き換えた構成であり、パラペット９１のコーナー部９２において第１の笠木板金１１と第２の笠木板金３１とを接続体８０を介して接続することで構成されている。
【００５８】
第１の笠木板金１１及び第２の笠木板金３１の各端部加工前の構成は、第１の実施の形態のものと同様であるので、ここでの説明は繰り返さない。
【００５９】
第１の笠木板金１１の端部の加工にあっては、図５の（１）の上段図を再度参照して、第１の笠木板金１１は、第１の笠木板金１１の端部１５ａを、第１の笠木板金１１の上平面１２の側縁１４ａに対して左斜め４５°下方に延びるように設定された第１の切断線５６に沿って切断する。
【００６０】
又、第２の笠木板金３１の端部の加工にあっては、図５の（１）の下段図を参照して、第２の笠木板金３１の上平面３２の側縁３４ａに対して左斜４５°下方に延びるよう設定した第２の切断線６６に沿って切断する。
【００６１】
その後、図示しないが、第１の笠木板金１１と第２の笠木板金３１とを各々所望の長さに切断する。
【００６２】
図９を再度参照して、接続体８０はパラペット９１のコーナー部９２の平面形状に対応した平面視略逆Ｌ字形状の金属製の平板から直線部分８１に沿って折り曲げて形成され、その直角部分がパラペット９１のコーナー部９２の直角部分と重なり合う位置に設置される。その具体的な折り曲げ方法については後述する。
【００６３】
尚、取付けにあたっては、まず、第１の笠木板金１１の下面と接続体８０の一方の折り曲げ部分８２ａの上面とを当接し、図示しない両面テープ、ビス等で固定する。この時、コーナー部は第１の笠木板金１１の第１の切断線５６と、接続体８０の直線部分８１とが重なり合うようにする。
【００６４】
次に、第１の実施の形態と同様の取付方法で、接続体８０を取り付けた第１の笠木板金１１をパラペット９１のコーナー部９２に取り付ける。更に、第１の笠木板金１１に対して平面視において、直角方向に接続するように、第２の笠木板金３１を第１の実施の形態と同様の取付方法で、パラペット９１のコーナー部９２に取り付ける。その際、第２の笠木板金３１の第２の切断線６６は、第１の笠木板金１１の第１の切断線５６と突き合わされ、接続体８０の直線部分８１にほぼ重なるようにする。尚、第１の実施の形態と異なり、第１の笠木板金１１には折り曲げ加工を施した垂下部はないため、第１の笠木板金１１の垂下部と、第２の笠木板金３１の垂下部とは、互いに突き合わされることになる。
【００６５】
その後、第２の笠木板金３１の下面と接続体８０の他方の折り曲げ部分８２ｂの上面とを図示しない両面テープ、ビス等で固定する。
【００６６】
そして更に、第１の笠木板金１１の第１の切断線５６と第２の笠木板金３１の第２の切断線６６との突き合わせ部分に沿ってシーリング剤等を塗布してシールする。
【００６７】
ここで、接続体８０の具体的な形成加工について説明する。
【００６８】
まず、図９を再度参照して、第１の笠木板金１１と第２の笠木板金３１とは、互いに突き合わされる第１の切断線５６又は第２の切断線６６とに対応する位置を通る垂直仮想面に対して互いに面対称の構成となると言える。
【００６９】
そして、接続体８０の上面がコーナー部において第１の笠木板金１１及び第２の笠木板金３１の下面とぴったりと当接するためには、接続体８０は、第１の切断線５６又は第２の切断線６６とに対応する位置に設定した直線部分８１を通る垂直仮想面に対して面対称である必要がある。
【００７０】
そこで、図１０を参照して、第１の笠木板金１１と第２の笠木板金３１とを突き合わせた際に生じる傾斜に合わせて、接続体８０の直線部分８１を軸に接続体８０の折り曲げ部分８２ａ及び８２ｂ（仮想線で示す）を折り曲げる角度を設定する。そうすることで、接続体８０の折り曲げ部分８２ａの上面の全面と第１の笠木板金１１の下面とが、又、折り曲げ部分８２ｂの上面の全面と第２の笠木板金３１の下面とがそれぞれ当接することになり、図９のように、笠木板金構造体１０のコーナー部が形成される。
【００７１】
このように構成すると、接続体８０の折り曲げ部分８２ａ及び８２ｂの各々は単一の平面で構成されるため、接続体８０の加工が容易となる。加えて、単一面上での一箇所での折り曲げ加工のみを施せばよいため、作業効率が向上する。
【００７２】
又、笠木板金構造体１０の第１の笠木板金１１の上平面１２及び第２の笠木板金３１の上平面３２が内壁側に向かって下方に傾斜する向きに取り付けることから、上平面１２及び上平面３２に落下した雨等はパラペット９１に対して、外壁側には流れにくくなるため、外壁側に雨染み等を生じにくくなり、建物等の美観の維持に貢献する。
【００７３】
尚、上記の第１の実施の形態では、第１の笠木板金の上に第２の笠木板金を重ねる構成であったが、左右反転させて折曲代を第２の笠木板金側に設ける構成としてもよい。
【００７４】
又、上記の各実施の形態では、パラペットのコーナー部に適用する構成であったが、バルコニー壁のコーナー部に適用してもよいし、その他同様の平面視コーナー形状を有するものに適用してもよい。
【００７５】
更に、上記の各実施の形態では、コーナー部の形状が出隅のものに適用する構成であったが、入隅のものに適用してもよい。
【００７６】
更に、上記の各実施の形態では、第１の笠木板金及び第２の笠木板金は、パラペットに対して、外方側から内方側に向かって傾斜する構成であったが、内方側から外方側に向かって傾斜する構成であってもよい。その場合、パラペットの内方側に水が溜まりにくくなる。
【００７７】
更に、上記の第１の実施の形態では、折曲代は特定形状に形成されるものであったが、折曲線を通る垂直仮想面に対して第１の笠木板金の一部に面対称となっていれば、その他の形状であってもよい。
【００７８】
更に、上記の第２の実施の形態では、接続体は特定形状に形成されるものであったが、直線部分を通る垂直仮想面に対してその一部が面対称となっていれば、その他の形状であってもよい。
【００７９】
更に、上記の各実施の形態では、第１の笠木板金と第２笠木板金との接続角度は直角であったが、第１の笠木板金と第２笠木板金とが互いに面対称となる構成であれば、他の接続角度であってもよい。
【００８０】
更に、上記の各実施の形態では、第１の笠木板金及び第２の笠木板金には垂下部が形成される構成であったが、垂下部はないものであってもよいし、又、他の形状であってもよい。
【００８１】
更に、上記の第１の実施の形態では、第１の笠木板金の垂下部の折り曲げ加工を施した部分と、第２の笠木板金の垂下部の一部とが当接する構成であったが、第１の笠木板金の該当する部分の垂下部を切除してもよいし、他の形状に加工してもよい。
【００８２】
更に、上記の各実施の形態では、金属板を成型加工するものであったが、この成型加工とは例えば、プレス成型加工、ロールフォーミング加工又は板金加工等の方法が当てはまり、笠木板金とはこのような方法で成型された笠木構造物を意味する。
【符号の説明】
【００８３】
１０…笠木板金構造体
１１…第１の笠木板金
１２…上平面
１４ａ、１４ｂ…側縁
１５ａ、１５ｂ…端部
２１…折曲線
２２…折曲代
２６…切断線
３１…第２の笠木板金
３２…上平面
３４ａ、３４ｂ…側縁
３５ａ…端部
５６…第１の切断線
６６…第２の切断線
８０…接続体
８１…直線部分
８２ａ、８２ｂ…折り曲げ部分
尚、各図中同一符号は同一又は相当部分を示す。
【図１】
2018184755.tif 000003
【図２】
2018184755.tif 000004
【図３】
2018184755.tif 000005
【図４】
2018184755.tif 000006
【図５】
2018184755.tif 000007
【図６】
2018184755.tif 000008
【図７】
2018184755.tif 000009
【図８】
2018184755.tif 000010
【図９】
2018184755.tif 000011
【図１０】
2018184755.tif 000012
【図１１】
2018184755.tif 000013
【図１２】
2018184755.tif 000014
【図１３】
2018184755.tif 000015
【図１４】
2018184755.tif 000016
【図１５】
2018184755.tif 000017
【図１６】
2018184755.tif 000018
【図１７】
2018184755.tif 000019